(57)【要約】【課題】  広告をポップアップウィンドウで開き、そのポップアップウィンドウの操作履歴を取得して、広告料の算出等に利用する。【解決手段】  本発明は、閲覧者端末からアクセスされると、ポップアップウィンドウの表示、閲覧者とのインタラクション、ポップアップウィンドウ上でのイベントの取得・制御、閲覧ログの取得を行う閲覧操作監視プログラムを含む広告付Ｗｅｂページを該閲覧者端末に送信し、閲覧者端末に渡された閲覧操作監視プログラムから閲覧ログを受信時、広告管理テーブルの該閲覧ログに記述された広告ＩＤが示す欄に、該閲覧ログに記述された閲覧時間を含む情報を設定し、該広告管理テーブルを更新する。【選択図】  図１
2006252179.tif 000002
【特許請求の範囲】
【請求項１】
広告主のＷｅｂサイトへリンクを設定したテキストや画像の広告（以下、広告と記す）を含むＷｅｂページをインターネット上に公開する、インターネット広告サービスにおける広告の提示・管理方法であって、
前記インターネット広告を管理する広告管理サーバにおいて、
広告主サーバから広告登録時、受信した広告を広告データベースに保管し、該広告に関する情報を広告管理テーブルに記入し、管理する手段と、該広告と閲覧操作監視プログラムを挿入した広告付Ｗｅｂページを生成し、閲覧者端末に送信する手段とを有し、
前記閲覧操作監視プログラムは、前記広告付Ｗｅｂページの閲覧時、閲覧者による広告に対するインタラクションを取得するステップ、該インタラクションに応じて、広告にリンクされたＷｅｂページをポップアップ表示、ポップアップ表示されたＷｅｂページに対する閲覧操作、ポップアップ表示の消去、を実行するステップ、並びに、広告にリンクされたＷｅｂページがポップアップ表示された時間を算出し、該閲覧時間とリンク元となった広告を示す広告ＩＤとを記述した閲覧ログを前記広告管理サーバに送信するステップと、を備え、
前記広告管理サーバにおいて、
前記閲覧者端末からアクセスされると、前記閲覧操作監視プログラムを含む広告付Ｗｅｂページを該閲覧者端末に送信し、
前記閲覧者端末に渡された前記閲覧操作監視プログラムから前記閲覧ログを受信時、前記広告管理テーブルの該閲覧ログに記述された広告ＩＤが示す欄に、該閲覧ログに記述された閲覧時間を含む情報を設定し、該広告管理テーブルを更新する、
ことを特徴とするインターネット広告サービスにおける広告の提示・管理方法。
【請求項２】
前記広告管理サーバにおいて、
前記広告管理テーブルに記述された各広告の累積閲覧時間に基づいて、各広告の掲載料を算出する、請求項１記載のインターネット広告サービスにおける広告の提示・管理方法。
【請求項３】
前記広告管理サーバに代わって、外部のＷｅｂサーバが、広告付Ｗｅｂページを生成・公開するものとし、
前記広告管理サーバは、
Ｗｅｂサーバ管理テーブルを有し、
Ｗｅｂサーバからの広告掲載要求受信時、該Ｗｅｂサーバを特定するＷｅｂサーバＩＤ、広告、前記閲覧監視プログラムを該Ｗｅｂサーバに提供し、
前記Ｗｅｂサーバから受信した情報、並びに、各Ｗｅｂサーバに提供した広告ＩＤを前記Ｗｅｂサーバ管理テーブルに格納し、
前記Ｗｅｂサーバに渡された前記閲覧監視プログラムから閲覧ログを受信時、前記Ｗｅｂサーバ管理テーブルの該閲覧ログに記述されたＷｅｂサーバＩＤが示す欄の該閲覧ログに記述された広告ＩＤが示す欄に、該閲覧ログに記述された閲覧時間を含む情報を記入し、該Ｗｅｂサーバ管理テーブルを更新する、
請求項１または、２記載のインターネット広告サービスにおける広告の提示・管理方法。
【請求項４】
前記広告管理サーバにおいて、
前記Ｗｅｂサーバ管理テーブルに記述された各広告の累積閲覧時間に基づいて、該広告の宣伝に対する各Ｗｅｂサーバの貢献度を算出し、各Ｗｅｂサーバへの報酬額を算出する、請求項３記載のインターネット広告サービスにおける広告の提示・管理方法。
【請求項５】
広告主のＷｅｂサイトへリンクを設定したテキストや画像の広告（以下、広告と記す）を含むＷｅｂページをインターネット上に公開する、インターネット広告サービスにおける広告管理サーバであって、
広告主サーバからの広告登録を受け付ける広告登録受信手段と、
前記広告登録受信手段で受信した広告を格納する広告データベースと、
前記広告に関する情報を格納する広告管理テーブルと、
前記広告付Ｗｅｂページの閲覧時、閲覧者による広告に対するインタラクションを取得するステップ、該インタラクションに応じて、広告にリンクされたＷｅｂページをポップアップ表示、ポップアップ表示されたＷｅｂページに対する閲覧操作、ポップアップ表示の消去、を実行するステップ、並びに、広告にリンクされたＷｅｂページがポップアップ表示された時間を算出し、該閲覧時間とリンク元となった広告を示す広告ＩＤとを記述した閲覧ログを前記広告管理サーバに送信するステップと、を備える閲覧操作監視プログラムと、
前記広告と前記閲覧操作監視プログラムを挿入した広告付Ｗｅｂページを生成し、閲覧者端末に送信するＷｅｂページ生成手段と、
前記閲覧者端末に渡された前記閲覧操作監視プログラムから前記閲覧ログを受信する閲覧ログ受信手段と、
前記閲覧ログ受信時、前記広告管理テーブルの該閲覧ログに記述された広告ＩＤが示す欄に、該閲覧ログに記述された閲覧時間を含む情報を設定し、該広告管理テーブルを更新する広告管理テーブル更新手段と、
前記広告管理テーブルに記述された各広告の累積閲覧時間に基づいて、各広告の掲載料を算出する手段と、
を有することを特徴とするインターネット広告サービスにおける広告管理サーバ。
【請求項６】
前記広告管理サーバに代わって、外部のＷｅｂサーバが、広告付Ｗｅｂページを生成・公開するものとし、
前記広告管理サーバは、
Ｗｅｂサーバからの広告掲載要求受信時、該Ｗｅｂサーバを特定するＷｅｂサーバＩＤ、広告、閲覧監視プログラムを該Ｗｅｂサーバに提供する手段と、
前記Ｗｅｂサーバ管理者から受信した情報、並びに、各Ｗｅｂサーバに提供した広告ＩＤを格納するＷｅｂサーバ管理テーブルと、
前記Ｗｅｂサーバに渡された前記閲覧監視プログラムから閲覧ログを受信する手段と、
前記閲覧ログ受信時、前記Ｗｅｂサーバ管理テーブルの該閲覧ログに記述されたＷｅｂサーバＩＤが示す欄の該閲覧ログに記述された広告ＩＤが示す欄に、該閲覧ログに記述された閲覧時間を含む情報を設定し、該Ｗｅｂサーバ管理テーブルを更新する手段と、
前記Ｗｅｂサーバ管理テーブルに記述された各広告の累積閲覧時間に基づいて、該広告の宣伝に対する各Ｗｅｂサーバの貢献度を算出し、各Ｗｅｂサーバへの報酬額を算出する手段と、
を有する請求項５記載のインターネット広告サービスにおける広告管理サーバ。
【請求項７】
広告主のＷｅｂサイトへリンクを設定したテキストや画像の広告（以下、広告と記す）を含むＷｅｂページをインターネット上に公開する、インターネット広告サービスにおける広告の提示・管理プログラムであって、
広告主サーバから受信した広告を格納する広告データベースと、
前記広告に関する情報を格納する広告管理テーブルまたは、Ｗｅｂサーバの情報を格納するＷｅｂサーバ管理テーブルと、を備えたコンピュータに、
前記請求項１乃至４記載のインターネット広告サービスにおける広告の提示・管理方法を実現させるための処理を実行させることを特徴とするインターネット広告サービスにおける広告の提示・管理プログラム。
【請求項８】
広告主のＷｅｂサイトへリンクを設定したテキストや画像の広告（以下、広告と記す）を含むＷｅｂページをインターネット上に公開する、インターネット広告サービスにおける広告の提示・管理プログラムを格納した記憶媒体であって、
前記広告主から受信した広告を格納する広告データベースと、
前記広告に関する情報を格納する広告管理テーブルまたは、Ｗｅｂサーバの情報を格納するＷｅｂサーバ管理テーブルと、を備えたコンピュータに、
前記請求項１乃至４記載のインターネット広告サービスにおける広告の提示・管理方法を実現させるための処理を実行させるプログラムを格納したことを特徴とするインターネット広告サービスにおける広告の提示・管理プログラムを格納した記憶媒体。
【発明の詳細な説明】
【技術分野】
【０００１】
本発明は、インターネット広告サービスにおける広告提示・管理方法及び広告管理サーバ及びプログラム及びプログラムを格納した記憶媒体に係り、広告主のＷｅｂサイトへリンクを設定したテキストや画像の広告（以下、広告と呼ぶ）を含むＷｅｂページをインターネット上に公開する、インターネット広告サービスにおける広告提示・管理方法及び広告管理サーバ及びプログラム及びプログラムを格納した記憶媒体に関する。
【背景技術】
【０００２】
インターネット広告サービスとして、広告媒体となるＷｅｂページに、画像や動画の広告を掲載するバナー広告がある。
【０００３】
また、最近、広告管理業者に広告とキーワードを登録することで、ある検索エンジンで、該キーワードで検索された際に提示される検索結果ページに、登録された広告を表示するリスティングサービスが普及してきている。また、該リスティングサービスでは、Ｗｅｂページ中に広告表示用のプログラムを挿入することで、該Ｗｅｂページが閲覧された際に、適当な広告を動的に挿入するサービスも行っている。
【０００４】
ここで、広告掲載料の算出方法としては、広告媒体となるＷｅｂページの閲覧により、広告が閲覧者に提示された回数で算出（ページビュー保証型）、閲覧者により該広告がクリックされ、該広告に設定された広告主のＷｅｂサイトが閲覧者に提示された回数で算出（クリック保証型）、当該広告の閲覧後、広告主のＷｅｂサイトで成約が実際に発生した件数で算出（成果保証型）する方法などがある。
【０００５】
また、上記のリスティングサービスでは、検索結果ページやＷｅｂページに表示された広告が閲覧者によりクリックされ、当該広告に設定された広告主のＷｅｂサイトが閲覧された回数など、に応じて報酬額を算出し、検索エンジンの運営者やＷｅｂページの管理者に該報酬額を支払うことも行っている（例えば、非特許文献１参照）。
【０００６】
インターネット広告サービスにおいて、広告主にとっては、広告を表示することも大切であるが、その広告を介して、広告主のＷｅｂサイトが閲覧、さらには、成約が発生することが重要である。
【０００７】
そこで、既存のインターネット広告サービスにおける、広告の表示から広告主のＷｅｂサイトの閲覧への流れを見ると、あるＷｅｂページを閲覧時、該Ｗｅｂページ中の広告をクリックした場合に、該広告に設定された広告主のＷｅｂサイトが、閲覧中のＷｅｂページに置き換わる形、または、新たに開くウィンドウ中に提示される。
【０００８】
ここで、閲覧者の目的は、広告が表示されているＷｅｂページの閲覧であり、広告主のＷｅｂサイトが上記したように提示される場合、目的とする該Ｗｅｂページの閲覧が阻害される。さらには、広告主のＷｅｂサイトを表示したものの、記載されている内容が閲覧者の望む情報でなかった場合、先に閲覧していたＷｅｂページに戻る操作、例えば、ブラウザの“Ｂａｃｋ”ボタンをクリック、新たに開いたウィンドウの“Ｃｌｏｓｅ”ボタンをクリックなど、余計な操作が必要となる。
【０００９】
その結果、閲覧者は現在のＷｅｂ閲覧が阻害・中断されることのデメリット、並びに、広告主のＷｅｂサイト閲覧後、先に閲覧していたＷｅｂページに戻る際の手間を考え、広告に少し興味を持った程度では、その広告に設定されたＷｅｂサイトを実際に閲覧することはしない。
【００１０】
そこで、閲覧者に、現在のＷｅｂ閲覧を阻害することなく、簡単かつ、手軽に広告主のＷｅｂサイトを閲覧させる方法として、広告に対する閲覧者からの操作に応じて、該広告に設定された広告主のＷｅｂサイトをポップアップ表示することが考えられる。
【００１１】
具体的には、当該広告に対してJava（登録商標）Scriptなどによる制御文を記述したり、ポップアップ表示するためのプログラムをＷｅｂブラウザに組み込んだりすることで、広告主のＷｅｂサイトのポップアップ表示を実現する方法がある（例えば、特許文献１参照）。
【特許文献１】特開２００４−１７８５１２号公報
【非特許文献１】アフィリエイト
【発明の開示】
【発明が解決しようとする課題】
【００１２】
しかしながら、広告主のＷｅｂサイトがポップアップ表示されるようになった場合、広告主のＷｅｂサイトへのアクセス数が増加する反面、広告主のＷｅｂサイトを閲覧する敷居が下がった結果、最終的な成約に結びつかない有象無象のアクセスも増加する。
【００１３】
ここで、広告掲載料を考えた場合、広く用いられている上記のクリック保証型で広告掲載料を算出した場合、有象無象のアクセスもカウントする結果、費用対効果が低下する原因となる。
【００１４】
つまり、あるＷｅｂページに掲載されたインターネット広告から広告主のＷｅｂサイトが閲覧される機会を増やすと共に、各インターネット広告の実質的な宣伝効果をもとに、適切な広告掲載料、ならびに、報酬額を算出することが重要となる。
【００１５】
本発明は、上記の点に鑑みなされたもので、広告に対する閲覧者からの操作に応じて、該広告に設定された広告主のＷｅｂサイトのポップアップ表示を実現し、更には、各閲覧者のポップアップ表示された広告主のＷｅｂサイトの閲覧状況（閲覧時間など）を記録することが可能なインターネット広告サービスにおける広告提示・管理方法及び装置及びプログラム及びプログラムを格納した記憶媒体を提供することを目的とする。
【００１６】
そして、記録された閲覧状況を用いて、広告掲載料や報酬額を算出することが可能なインターネット広告サービスにおける広告提示・管理方法及び広告管理サーバ及びプログラム及びプログラムを格納した記憶媒体を提供することを目的とする。
【課題を解決するための手段】
【００１７】
図１は、本発明の原理を説明するための図である。
【００１８】
本発明（請求項１）は、広告主のＷｅｂサイトへリンクを設定したテキストや画像の広告（以下、広告と記す）を含むＷｅｂページをインターネット上に公開する、インターネット広告サービスにおける広告の提示・管理方法であって、
インターネット広告を管理する広告管理サーバにおいて、
広告主サーバから広告登録時、受信した広告を広告データベースに保管し、該広告に関する情報を広告管理テーブルに記入し、管理する手段と、該広告と閲覧操作監視プログラムを挿入した広告付Ｗｅｂページを生成し、閲覧者端末に送信する手段とを有し、
閲覧操作監視プログラムは、広告付Ｗｅｂページの閲覧時、閲覧者による広告に対するインタラクションを取得するステップ、該インタラクションに応じて、広告にリンクされたＷｅｂページをポップアップ表示、ポップアップ表示されたＷｅｂページに対する閲覧操作、ポップアップ表示の消去、を実行するステップ、並びに、広告にリンクされたＷｅｂページがポップアップ表示された時間を算出し、該閲覧時間とリンク元となった広告を示す広告ＩＤとを記述した閲覧ログを広告管理サーバに送信するステップと、を備え、
広告管理サーバにおいて、
閲覧者端末からアクセスされると（ステップ１）、閲覧操作監視プログラムを含む広告付Ｗｅｂページを該閲覧者端末に送信し（ステップ２）、
閲覧者端末に渡された閲覧操作監視プログラムから閲覧ログを受信時（ステップ３）、広告管理テーブルの該閲覧ログに記述された広告ＩＤが示す欄に、該閲覧ログに記述された閲覧時間を含む情報を設定し、該広告管理テーブルを更新する（ステップ４）。
【００１９】
また、本発明（請求項２）は、広告管理サーバにおいて、
広告管理テーブルに記述された各広告の累積閲覧時間に基づいて、各広告の掲載料を算出する。
【００２０】
また、本発明（請求項３）は、広告管理サーバに代わって、外部のＷｅｂサーバが、広告付Ｗｅｂページを生成・公開するものとし、
広告管理サーバは、
Ｗｅｂサーバ管理テーブルを有し、
Ｗｅｂサーバからの広告掲載要求受信時、該Ｗｅｂサーバを特定するＷｅｂサーバＩＤ、広告、閲覧監視プログラムを該Ｗｅｂサーバに提供し、
Ｗｅｂサーバから受信した情報、並びに、各Ｗｅｂサーバに提供した広告ＩＤをＷｅｂサーバ管理テーブルに格納し、
Ｗｅｂサーバに渡された閲覧監視プログラムから閲覧ログを受信時、Ｗｅｂサーバ管理テーブルの該閲覧ログに記述されたＷｅｂサーバＩＤが示す欄の該閲覧ログに記述された広告ＩＤが示す欄に、該閲覧ログに記述された閲覧時間を含む情報を記入し、該Ｗｅｂサーバ管理テーブルを更新する。
【００２１】
また、本発明（請求項４）は、広告管理サーバにおいて、
Ｗｅｂサーバ管理テーブルに記述された各広告の累積閲覧時間に基づいて、該広告の宣伝に対する各Ｗｅｂサーバの貢献度を算出し、各Ｗｅｂサーバへの報酬額を算出する。
【００２２】
図２は、本発明の原理構成図である。
【００２３】
本発明（請求項５）は、広告主のＷｅｂサイトへリンクを設定したテキストや画像の広告（以下、広告と記す）を含むＷｅｂページをインターネット上に公開する、インターネット広告サービスにおける広告管理サーバであって、
広告主サーバからの広告登録を受け付ける広告登録受信手段１１と、
広告登録受信手段１１で受信した広告を格納する広告データベース１２と、
広告に関する情報を格納する広告管理テーブル１４と、
広告付Ｗｅｂページの閲覧時、閲覧者による広告に対するインタラクションを取得するステップ、該インタラクションに応じて、広告にリンクされたＷｅｂページをポップアップ表示、ポップアップ表示されたＷｅｂページに対する閲覧操作、ポップアップ表示の消去、を実行するステップ、並びに、広告にリンクされたＷｅｂページがポップアップ表示された時間を算出し、該閲覧時間とリンク元となった広告を示す広告ＩＤとを記述した閲覧ログを広告管理サーバに送信するステップと、を備える閲覧操作監視プログラム１５と、
広告と閲覧操作監視プログラム１５を挿入した広告付Ｗｅｂページを生成し、閲覧者端末に送信するＷｅｂページ生成手段１６と、
閲覧者端末に渡された閲覧操作監視プログラムから閲覧ログを受信する閲覧ログ受信手段１７と、
閲覧ログ受信時、広告管理テーブル１４の該閲覧ログに記述された広告ＩＤが示す欄に、該閲覧ログに記述された閲覧時間を含む情報を設定し、該広告管理テーブル１４を更新する広告管理テーブル更新手段１３と、
広告管理テーブル１４に記述された各広告の累積閲覧時間に基づいて、各広告の掲載料を算出する掲載料算出手段１８と、を有する。
【００２４】
また、本発明（請求項６）は、広告管理サーバに代わって、外部のＷｅｂサーバが、広告付Ｗｅｂページを生成・公開するものとし、
広告管理サーバは、
Ｗｅｂサーバからの広告掲載要求受信時、該Ｗｅｂサーバを特定するＷｅｂサーバＩＤ、広告、閲覧監視プログラムを該Ｗｅｂサーバに提供する手段と、
Ｗｅｂサーバから受信した情報、並びに、各Ｗｅｂサーバに提供した広告ＩＤを格納するＷｅｂサーバ管理テーブルと、
Ｗｅｂサーバに渡された閲覧監視プログラムから閲覧ログを受信する手段と、
閲覧ログ受信時、Ｗｅｂサーバ管理テーブルの該閲覧ログに記述されたＷｅｂサーバＩＤが示す欄の該閲覧ログに記述された広告ＩＤが示す欄に、該閲覧ログに記述された閲覧時間を含む情報を設定し、該Ｗｅｂサーバ管理テーブルを更新する手段と、
Ｗｅｂサーバ管理テーブルに記述された各広告の累積閲覧時間に基づいて、該広告の宣伝に対する各Ｗｅｂサーバの貢献度を算出し、各Ｗｅｂサーバへの報酬額を算出する手段と、を有する。
【００２５】
本発明（請求項７）は、広告主のＷｅｂサイトへリンクを設定したテキストや画像の広告（以下、広告と記す）を含むＷｅｂページをインターネット上に公開する、インターネット広告サービスにおける広告の提示・管理プログラムであって、
広告主サーバから受信した広告を格納する広告データベースと、
広告に関する情報を格納する広告管理テーブルまたは、Ｗｅｂサーバの情報を格納するＷｅｂサーバ管理テーブルと、を備えたコンピュータに、
請求項１乃至４記載のインターネット広告サービスにおける広告の提示・管理方法を実現させるための処理を実行させるプログラムである。
【００２６】
本発明（請求項８）は、広告主のＷｅｂサイトへリンクを設定したテキストや画像の広告（以下、広告と記す）を含むＷｅｂページをインターネット上に公開する、インターネット広告サービスにおける広告の提示・管理プログラムを格納した記憶媒体であって、
広告主から受信した広告を格納する広告データベースと、
広告に関する情報を格納する広告管理テーブルまたは、Ｗｅｂサーバの情報を格納するＷｅｂサーバ管理テーブルと、を備えたコンピュータに、
請求項１乃至４記載のインターネット広告サービスにおける広告の提示・管理方法を実現させるための処理を実行させるプログラムを格納した記憶媒体である。
【発明の効果】
【００２７】
本発明によれば、閲覧者は広告に少し興味を持ったような場合に、現在のＷｅｂ閲覧を阻害されることなく、簡単かつ手軽に広告主のＷｅｂサイトを閲覧でき、その結果として、広告主はこのような潜在的ユーザを含め、広告主のＷｅｂサイトへのアクセス数を増やすことが可能となる。
【００２８】
また、ポップアップ表示された広告主のＷｅｂサイトに対する、閲覧者の閲覧状況（閲覧時間など）をもとに、広告掲載料が算出される結果、広告を実質的な宣伝効果に見合った金額で出稿できる。
【００２９】
また、本発明によれば、検索結果ページやＷｅｂページに広告を表示することに対する報酬額が、各検索サイトやＷｅｂサイトでの宣伝効果に応じて算出される結果、各サイトの運営者は実質的な貢献度に見合った報酬を取得できる。
【発明を実施するための最良の形態】
【００３０】
以下、図面と共に本発明の実施の形態を説明する。
【００３１】
図３は、本発明の一実施の形態におけるインターネット広告サービスのシステム構成図である。
【００３２】
同図に示すシステムは、インターネット１０を介して広告管理サーバ１、閲覧者パーソナルコンピュータ（ＰＣ）２、広告主サーバ３が相互に接続されている。
【００３３】
広告管理サーバ１と広告主サーバ３は、Ｗｅｂサーバとしての基本機能を有しており、閲覧者ＰＣ２は、インターネットを閲覧するＷｅｂブラウザを有する。また、広告管理サーバ１は、広告提示・管理装置として機能する。
【００３４】
図４は、本発明の一実施の形態における広告管理サーバの構成を示す。
【００３５】
広告管理サーバ１は、広告登録受信部１１、広告データベース１２、広告管理テーブル更新部１３、広告管理テーブル１４、閲覧操作監視プログラム１５、Ｗｅｂページ生成部１６、閲覧ログ受信部１７及び掲載料算出部１８から構成される。
【００３６】
以下に、上記の構成における動作を説明する。
【００３７】
図５は、本発明の一実施の形態における動作のシーケンスチャートである。
【００３８】
（１）広告の登録動作：
まず、広告主からの広告登録時の通信手順及び処理手順を図４、図５を用いて説明する。
【００３９】
まず、広告主サーバ３は、広告登録に先立ち、広告管理サーバ１に広告主に関する情報（名前、住所、電話番号、口座番号等）を登録し（ステップ１０１）、広告管理サーバ１から広告主を特定する広告主ＩＤを取得する（ステップ１０２）。
【００４０】
この際、広告管理サーバ１の広告登録受信部１１は、上記の広告主情報を受信し、広告データベース１２に記録する。
【００４１】
次に、広告主サーバ３は、取得した広告主ＩＤ、掲載を希望する広告（テキスト、画像、動画、音声など）、当該広告からリンクされる広告主サーバ３上のＷｅｂページのＵＲＬを広告管理サーバ１に登録する（ステップ１０３）。
【００４２】
この際、広告管理サーバ１の広告登録受信部１１では、受信した広告を広告データベース１２に登録し、広告管理テーブル更新部１３では、広告毎に広告を特定する広告ＩＤ、広告主ＩＤ、受信した広告の広告データベース１２中でのアドレス、該広告のリンク先のＷｅｂページのＵＲＬを広告管理テーブル１４に記入する。図６に広告管理テーブルの格納例を示す。同図の例では、広告管理テーブル１４には、広告ＩＤ毎に、広告、広告主ＩＤ、リンク先Ｗｅｂページ、累積ポップアップ数、累積閲覧時間、累積ブラウザ表示数、等が格納される。
【００４３】
なお、広告管理サーバ１への広告主、並びに広告の登録方法としては、例えば、広告管理サーバ１に別途設けられている登録用Ｗｅｂページを介して行う方法や、電子メールや書面で情報をやり取りし、人手で行う方法など、が考えられる。
【００４４】
その後、広告管理サーバ１のＷｅｂページ生成部１６では、広告管理サーバ１が保有するＷｅｂページに、広告データベース１２から取得する広告と閲覧操作監視プログラム１５を挿入した広告付Ｗｅｂページを生成し、インターネット上に公開する（ステップ１０４）。
【００４５】
図７は、本発明の一実施の形態におけるＷｅｂページ生成部で生成される広告付きＷｅｂページの例である。
【００４６】
広告は、href属性に広告のリンク先ＷｅｂページのＵＲＬ(http://www.abc.co.jp)、id属性に広告ＩＤ（Ad_1）、広告本体である画像（ad_ABC.gif）や文章（ad_ABC.txt）が記述されたアンカー（<A>…</A>で囲む部分）の形でＷｅｂページに挿入する。
【００４７】
また、閲覧操作監視プログラム１５は、src属性に閲覧操作監視プログラム(PopWin.js)を指定したスクリプト（<SCRIPT>…</SCRIPT>）を挿入するとともに、上記の広告に関する情報が記述されたアンカータグ中にイベントハンドラと閲覧操作監視プログラム１５中の関数との組(onmouseover=”OpenPopWin();”など)を記述する。
【００４８】
なお、本実施の形態では、閲覧操作監視プログラム１５をJava（登録商標）Scriptとして記述しているが、同じ機能を有するJava（登録商標）Appletやその他言語を使用したプログラムであってもかまわない。
【００４９】
（２）ポップアップウィンドウの提示：
広告付きＷｅｂページの閲覧時、広告に対する閲覧者からのインタラクションに応じて該広告に設定された広告主のＷｅｂサイトをポップアップ表示する際の通信手順、処理手順について、図５と図８を用いて説明する。
【００５０】
図８は、本発明の一実施の形態における閲覧操作監視プログラムの基本構成を示す。
【００５１】
閲覧操作監視プログラム１５は、閲覧操作取得部２０、操作解析部２１、ポップアップウィンドウ制御部２２、イベント実行部２３、閲覧ログ記録部２４、閲覧ログ送信部２５から構成される。
【００５２】
なお、図８には示していないが、閲覧操作監視プログラム１５では、閲覧者ログに記録するデータをプログラムの内部変数として保持し、閲覧者ＰＣ２上のメモリ上で管理されるものとする。
【００５３】
まず、閲覧者は閲覧者ＰＣ２のＷｅｂブラウザを介して広告管理サーバ１にアクセスし（ステップ２０１）、広告付きＷｅｂページを閲覧する（ステップ２０２）。
【００５４】
その後、閲覧者が当該広告付きＷｅｂページ中の広告に対してあるインタラクションを行った場合に、閲覧操作監視プログラム１５の閲覧操作取得部２０が当該インタラクションを受信し、操作解析部２１で当該インタラクションに対応するイベントハンドラ（図７参照）が広告を記述したアンカータグ中に記述されているかを解析する（ステップ２０３）。
【００５５】
この際、例えば、閲覧者ＰＣ２の閲覧者のインタラクションがマウスカーソルを広告上に一定時間静止させるものであった場合、ポップアップウィンドウ制御部２２が閲覧者ＰＣ２の画面上にポップアップウィンドウを表示し（ステップ２０４、図７の”onmouseover=”OpenPopWin():”」実行）、イベント実行部２３が当該広告のリンク先Ｗｅｂページ（アンカーのhref属性に指定）へアクセスし（ステップ２０５）、当該Ｗｅｂページをポップアップウィンドウ内に表示し、閲覧者ログ記録部２４でポップアップウィンドウが表示された時刻を閲覧ログに記録する（ステップ２０６）。
【００５６】
なお、閲覧者ＰＣ２の画面上にポップアップウィンドウを表示する際、例えば、Ｗｅｂブラウザａの表示サイズに別途設定する縮小率をかけることで、ポップアップウィンドウｂの表示サイズを算出し、さらには閲覧者ＰＣ２の画面上におけるマウスカーソルｃの表示位置をもとに、マウスカーソルｃの近傍にポップアップウィンドウｂの表示位置を算出することが考えられる（図９参照）。
【００５７】
図１０は、本発明の一実施の形態における閲覧操作プログラムを指定したＨＴＭＬ文書の例である。
【００５８】
本実施の形態では、リンク先Ｗｅｂページをポップアップウィンドウｂ内に直接表示するのではなく、ポップアップウィンドウｂ内には、閲覧操作監視プログラム１５が挿入されたＨＴＭＬ文書を表示し、当該ＨＴＭＬ文書のインラインフレーム(IFRAME)要素として、リンク先のＷｅｂページを表示する。
【００５９】
具体的には、IFRAMEタグのsrc属性にリンク先ＷｅｂページのＵＲＬを指定し、id属性にリンク元となる広告の広告ＩＤを記入する。これらの処理は、ポップアップウィンドウ表示時に、ポップアップウィンドウ制御部２２で動的に実行する。
【００６０】
また、当該ＨＴＭＬ文書には、src属性に閲覧操作監視プログラム(PopWin.js)を指定したスクリプト（<SCRIPT>…</SCRIPT>）タグが挿入されており、ＨＴＭＬタグとＢＯＤＹタグ中には、イベントハンドラと閲覧操作監視プログラム１５中の関数との組(onmouseover=”OverPopWin(),”など)が記述されている。
【００６１】
このようにすることで、広告のリンク先Ｗｅｂページが広告管理サーバ１と異なるドメイン上にある場合でも、閲覧操作監視プログラム１５で、ポップアップウィンドウ上で発生するイベントの取得やポップアップウィンドウの制御を行うことが可能となる。
【００６２】
さらには、上記のＨＴＭＬ文書のIFRAMEタグにstyle:zoom属性を追加することで、ポップアップウィンドウの表示サイズに応じて、リンク先Ｗｅｂページの表示倍率を変更することも可能となる。
【００６３】
（３）ポップアップウィンドウの操作：
次に、ポップアップウィンドウ内に表示された広告のリンク先Ｗｅｂページ閲覧時、閲覧者ＰＣ２からの閲覧者の操作に応じて、閲覧操作監視プログラム１５が実行する処理について、図７、図８、図１０を参照し、図１１に示すフローチャートを用いて説明する。
【００６４】
ポップアップウィンドウの表示後、閲覧操作監視プログラム１５は、閲覧者の操作を監視するモードに移行し（ステップ２０７）、例えば、マウスカーソルが広告上にある状態でマウスのホイール操作が行われた場合、閲覧操作取得部２０が当該操作を受信し、操作解析部２１で当該操作に対応するイベントを解析後、イベント実行部２３で対応する処理、ここでは、ポップアップウィンドウ内に表示されているＷｅｂページをスクロールする（図１１のステップ７０１、図１０のonwheel=”ScrollPopWin();”実行）。
【００６５】
この際、マウスのホイール操作に合わせて縦方向にＷｅｂページをスクロールする他に、例えば、マウスの右クリックを押しながらホイール操作が行われた場合には、横方向にＷｅｂページをスクロールするようにすることなども考えられる。
【００６６】
また、例えば、マウスカーソルが広告外へ移動された場合、閲覧操作取得部２０で当該操作を受信し、操作解析部２１で当該操作に対応するイベントを解析後、イベント実行部２３で対応する処理、ここでは、ポップアップウィンドウを消去し（図１１のステップ７０２、図５のステップ２０８、図１０のonmouseout=”ClosePopWin();”実行）、閲覧ログ記録部２４でポップアップウィンドウ表示時に記録した時刻をもとに、ポップアップウィンドウが表示されていた時間、つまり、広告のリンク先Ｗｅｂページを閲覧していた時間を算出し、リンク元となった広告の広告ＩＤと算出した閲覧時間とを記述した閲覧ログを作成する（図１１のステップ７０３）。
【００６７】
そして、閲覧ログ送信部２５で当該閲覧ログを広告管理サーバ１に送信する（図１１のステップ７０４、図５の２０９）。
【００６８】
他にも、例えば、閲覧者ＰＣ２において、ポップアップウィンドウが表示されている状態で、閲覧者が広告をクリックした場合、閲覧操作監視プログラム１５の閲覧操作取得部２０で当該操作を受信し、操作解析部２１で当該操作に対応するイベントを解析後、イベント実行部２３で対応する処理、ここでは、広告のリンク先ＷｅｂページをＷｅｂブラウザで表示する（図１１のステップ７０５、図７のonclick=”MoveSite();”実行）。
【００６９】
そして、ポップアップウィンドウを消去（図１１のステップ７０６、図５のステップ２０８）後、閲覧ログ記録部２４で、ポップアップウィンドウが表示されていた時間を算出し、リンク元となった広告の広告ＩＤ、算出した閲覧時間、さらには、当該ブラウザ表示操作の実施を記述した閲覧ログを作成し（図１１のステップ７０７）、閲覧ログ送信部２５で当該閲覧ログを広告管理サーバ１に送信する（図１１のステップ７０８、図５のステップ２０９）。
【００７０】
この際、ポップアップウィンドウ内に表示されている広告のリンク先Ｗｅｂページを現在開いているＷｅｂブラウザに表示する他に、新たなＷｅｂブラウザを開き、そのＷｅｂブラウザ内に表示することも考えられる。
【００７１】
さらには、例えば、マウスカーソルがポップアップウィンドウ内に移動された場合、閲覧操作監視プログラム１５は、ポップアップウィンドウ内での閲覧操作を監視するモードへ移行する（図１１のステップ７０９、図１０のonmouseover=”OverPopWin()；”実行）。この際、マウスカーソルは、上記のマウスカーソルの広告外への移動操作により、ポップアップウィンドウが消去される前にポップアップウィンドウへ移動する。
【００７２】
その後、例えば、ポップアップウィンドウ内に表示されているＷｅｂページ中のアンカーがクリックされた場合、閲覧操作監視プログラム１５の閲覧操作取得部２０で当該操作を受信し、操作解析部２１で当該操作に対応するイベントを解析後、イベント実行部２３で対応する処理、ここでは、当該アンカーが示すＷｅｂページにポップアップウィンドウ内の表示を更新する（図１１のステップ７１０、図１０のonclick=”InvokeEvent();”実行）。
【００７３】
この際、閲覧ログ記録部２４では、当該クリック操作数をカウントすると共に、移動前のＷｅｂページのＵＲＬと当該Ｗｅｂページの閲覧時間を算出し、閲覧ログに記入する（図１１のステップ７１１）。
【００７４】
また、例えば、マウスカーソルがポップアップウィンドウ内からポップアップウィンドウ外へ移動した場合、閲覧操作取得部２０で当該操作を受信し、操作解析部２１で当該操作に対応するイベントを解析後、イベント実行部２３で対応する処理、ここでは、ポップアップウィンドウを消去し（図１１のステップ７１２、図５のステップ２０８、図１０のonmouseout=”OutPopWin():”実行）、閲覧ログ記録部２４で、ポップアップウィンドウが表示されていた時間を算出し、リンク元となった広告の広告ＩＤ、算出した閲覧時間、さらには、ステップ７１１で記入したデータを含む閲覧ログを作成し（図１１のステップ７１３）、閲覧ログ送信部２５で当該閲覧ログを広告管理サーバ１に送信する（図１１のステップ７１４、図５のステップ２０９）。
【００７５】
他にも、例えば、閲覧者ＰＣ２において、ポップアップウィンドウ内でダブルクリック操作が行われた場合、閲覧操作取得部２０で当該操作を受信し、操作解析部２１で当該操作に対応するイベントを解析後、イベント実行部２３で対応する処理、ここでは、ポップアップウィンドウに表示中のＷｅｂページをＷｅｂブラウザで表示する（図１１のステップ７１５、図１０のondblclick=”ShowSite();”実行）。
【００７６】
そして、ポップアップウィンドウを消去（図１１のステップ７１６、図５のステップ２０８）後、閲覧ログ記録部２４でポップウィンドウが表示されていた時間を算出し、リンク元となった広告の広告ＩＤ、算出した閲覧時間、ステップ７１１で記入したデータを含む閲覧ログ、さらには、当該ブラウザ表示操作の実施を記述した閲覧ログを作成し（図１１のステップ７１７）、閲覧ログ送信部２５で当該閲覧ログを広告管理サーバ１に送信する（図１１のステップ７１８、図５のステップ２０９）。
【００７７】
なお、ポップアップウィンドウの操作としては、上記操作に限らず、様々なパターンが考えられる。例えば、上記操作例によれば、広告上にマウスカーソルを重ねるという簡単な操作で、広告のリンク先Ｗｅｂページをポップアップ表示できるが、その反面、閲覧者の意図しないタイミングでポップアップ表示してしまうことが考えられる。
【００７８】
そこで、広告がクリックされた場合に、広告のリンク先Ｗｅｂページをポップアップ表示し、ポップアップ表示された状態で再度、広告がクリックされた場合にポップアップ表示を消去するようにすることが考えられる。この際、例えば、ポップアップ表示された状態で広告をダブルクリックすることで、ポップアップ表示されたＷｅｂページをＷｅｂブラウザに表示するようにする。
【００７９】
さらには、ポップアップウィンドウの操作としては、マウスを用いた操作に限らず、キーボードを用いた操作やマウスとキーボードを組み合わせた操作など、使用する機器も色々と考えられる。
【００８０】
（４）閲覧ログの受信：
次に、広告管理サーバ１が閲覧者ＰＣ２から閲覧ログを受信した際の処理手順を図４、図５を参照して説明する。
【００８１】
まず、閲覧ログ受信部１７が閲覧者ＰＣ２から送信された閲覧ログを受信し、広告管理テーブル更新部１３が広告管理テーブル１４（図６参照）の当該閲覧ログに記述された広告ＩＤが示す欄の、累積ポップアップ数を増加すると共に、当該閲覧ログに記述された閲覧時間を累積閲覧時間に追加し、広告管理テーブル１４を更新する（ステップ２１０）。
【００８２】
この際、当該閲覧ログ中に、閲覧者によるブラウザ表示操作の実施が記述されていれば、広告管理テーブル１４の該当する欄の累積ブラウザ表示数を増加し、また、当該閲覧ログ中に、閲覧者によるポップアップウィンドウ内での閲覧操作に関するデータが記述されていれば、広告管理テーブル１４の該当する欄のその他の項目に当該データを追記する。例えば、閲覧ログに記載されたクリック操作数は累積クリック操作数として管理する。
【００８３】
ここで、広告管理テーブル１４の更新に際し、閲覧ログに記述された閲覧時間が別途設定する時間以上である場合のみ、当該閲覧ログに記述された内容を広告管理テーブル１４に記入することが考えられる。
【００８４】
この際、広告主のＷｅｂサイトがポップアップ表示後、すぐに閉じられた場合の閲覧ログを除外でき、ある時間以上閲覧され、宣伝効果があったと思われるデータのみを収集することが可能となる。
【００８５】
（５）掲載料の請求：
最後に、広告主に対して広告の掲載料を請求する際の通信手順、処理手順を図５及び図６を用いて説明する。
【００８６】
広告管理サーバ１の掲載料算出部１８は、一定期間毎、あるいは、広告掲載の期間終了時に、広告管理テーブル１４をもとに、つまり、登録した広告からポップアップ表示された広告主のＷｅｂサイトの各閲覧者の実際の閲覧状況をもとに、当該広告の掲載料を算出する（ステップ２１１）。
【００８７】
そして、掲載料算出部１８は、算出した掲載料を広告主に請求すると共に、広告管理テーブル１４に記述された各種データをレポートとして広告主サーバ３に送信する（ステップ２１２）。
【００８８】
この際、掲載料算出部１８における、広告掲載料の算出方法としては、例えば、広告主のＷｅｂサイトがどのくらいの時間閲覧されたか、つまり、広告管理テーブル１４の累積閲覧時間、または、累積閲覧時間と累積ポップアップ数から算出される平均閲覧時間などをもとに算出する方法が考えられる。
【００８９】
他にも、広告主のＷｅｂサイトがどのような感じで閲覧されたか、つまり、累積ブラウザ数やその他記載のデータなどを含め、総合的に算出する方法も考えられる。
【００９０】
この際、前述の（４）で述べたように、広告管理テーブル１４の更新に際して、閲覧時間に閾値を設けることで、広告主のＷｅｂサイトを短時間しか閲覧しなかったものに対しては課金されることがなくなり、より実質的な宣伝効果に見合った掲載料の算出が可能となる。
【００９１】
さらには、当該広告からポップアップ表示により広告主のＷｅｂサイトを閲覧後、当該広告主のＷｅｂサイトで成約が発生した件数（成果保証型）を当該広告主のＷｅｂサイトから受け取り、その成約件数のデータを、広告掲載料の算出で利用しても良い。
【実施例】
【００９２】
以下、図面と共に本発明の実施例を説明する。
【００９３】
［第１の実施例］
前述の実施の形態では、広告管理サーバ１上で広告の管理と広告を掲載するＷｅｂページの公開を行っていた。ここで、広告を掲載するＷｅｂページとして、広告管理サーバ１とは異なる外部のＷｅｂサーバの保有するＷｅｂページを用いることが考えられる。
【００９４】
本実施例では、外部のＷｅｂサーバを利用する例について説明する。
【００９５】
図１２は、本発明の第１の実施例のシステム構成を示す。
【００９６】
本実施例では、同図に示すように、図３の構成にＷｅｂサーバ４を追加した構成である。
【００９７】
図１３は、本発明の第１の実施例の動作のシーケンスチャートである。
【００９８】
なお、同図において、前述の図５と同一動作については同一のステップ番号を付与し、その説明を省略する。
【００９９】
本実施例では、前述の実施の形態における（１）広告の登録、（２）ポップアップウィンドウの提示、（５）掲載料の請求の各処理については同様であり、図１３では、（４）閲覧ログの受信における処理手順の一部が変更され、（６）Ｗｅｂサーバの登録、（７）報酬額の支給が新たに追加される。
【０１００】
また、図１４は、本発明の一実施例の広告管理サーバの構成を示し、Ｗｅｂサーバ４を追加した場合における広告管理サーバ１の構成を表しており、図４と同一構成部分には同一符号を付し、その説明を省略する。図１４に示す広告管理サーバ１は、図４の構成にＷｅｂサーバ登録受信部３１、Ｗｅｂサーバ管理テーブル３２、広告提供部３３、Ｗｅｂサーバ管理テーブル更新部３４及び報酬額計算部３５が付加された構成である。
【０１０１】
（６）  Ｗｅｂサーバの登録：
Ｗｅｂサーバ管理者から自Ｗｅｂサーバにおける広告掲載の要求を受け、当該Ｗｅｂサーバ４上で広告付きＷｅｂページを公開するまでの通信手順、処理手順を、図１３、図１４を用いて説明する。
【０１０２】
まず、Ｗｅｂサーバ管理者は、Ｗｅｂサーバ４から広告管理サーバ１にＷｅｂ管理者に関する情報（名前、メールアドレス、電話番号、口座番号等）と自Ｗｅｂサーバ４に関する情報（ＵＲＬなど）を登録する（ステップ３０１）。
【０１０３】
この際、広告管理サーバ１のＷｅｂサーバ登録受信部３１が上記情報を受信し、Ｗｅｂサーバ管理テーブル更新部３４において、Ｗｅｂサーバ毎に、Ｗｅｂサーバ４を特定するＷｅｂサーバＩＤ、管理者、サーバ情報をＷｅｂサーバ管理テーブル３２に記入する。Ｗｅｂサーバ管理テーブル３２の例を図１５に示す。
【０１０４】
そして、広告管理サーバ１の広告提供部３３では、Ｗｅｂサーバ管理テーブル３２に記述したＷｅｂサーバ４のＷｅｂサーバＩＤ、広告データベース１２から呼び出した広告、閲覧操作監視プログラム１５を当該Ｗｅｂサーバ４に送信する（ステップ３０２）。
【０１０５】
この際、Ｗｅｂサーバ管理テーブル更新部３２では、Ｗｅｂサーバ管理テーブル３２の当該ＷｅｂサーバＩＤが示す欄に、提供した広告の広告ＩＤを設定する。
【０１０６】
その後、Ｗｅｂサーバ４の管理者は、広告管理サーバ１から取得したＷｅｂサーバＩＤ、広告、閲覧操作管理プログラム１５をＷｅｂサーバ４が保有するＷｅｂページに挿入し、当該広告付きＷｅｂページをインターネット１０上に公開する（ステップ３０３）。
【０１０７】
図１６は、本発明の一実施例のＷｅｂサーバ上で公開する広告付きＷｅｂページの一例を示す。
【０１０８】
広告と閲覧操作監視プログラム１５の挿入方法は、前述の実施の形態で述べた内容と同様であり、ここでは、さらに、取得したＷｅｂサーバＩＤを、例えば、スクリプトタグのid属性に指定する。
【０１０９】
ここで、Ｗｅｂサーバ４が広告管理サーバ１へのＷｅｂサーバ管理者、Ｗｅｂサーバ４に関する情報を登録し、広告管理サーバ１からＷｅｂサーバＩＤ、広告、閲覧監視プログラム１５を取得する方法としては、例えば、広告管理サーバ１に別途設けられている登録用Ｗｅｂページを介して行う方法や、電子メールや書面により行う方法など、が考えられる。
【０１１０】
また、Ｗｅｂサーバ４に対して、広告や閲覧操作監視プログラム１５の広告管理サーバ１上でのＵＲＬを提供し、当該広告や閲覧操作監視プログラム１５は、広告管理サーバ１上で管理し、適宜参照する方法も考えられる。
【０１１１】
（４’）閲覧ログの受信
当該処理は、前述の実施の形態における広告管理サーバ１が閲覧者ＰＣ２から閲覧ログを受信した際の処理手順を、図１３、図１５を参照して説明する。
【０１１２】
まず、閲覧者ログ受信部１７が閲覧者ＰＣ２から送信された閲覧ログを受信し、広告管理テーブル更新部１３が広告管理テーブル１４（図６参照）の閲覧ログに記述された広告ＩＤを示す欄に、当該閲覧ログに記述された情報を記述する（ステップ２１０）。
【０１１３】
続いて、Ｗｅｂサーバ管理テーブル更新部３４が当該閲覧ログを元にＷｅｂサーバ管理テーブル３２（図１５参照）の閲覧ログに記述されたＷｅｂサーバＩＤが示す欄の、閲覧ログに記述された広告ＩＤが示す欄に、閲覧ログに記述された情報を記述する（ステップ４０１）。この際、Ｗｅｂサーバ管理テーブル３２の該当欄に記述する内容は、ステップ２１０で広告管理テーブル１４の該当欄に記述した内容と同じである。
【０１１４】
なお、本実施の形態においては、閲覧監視プログラム１５の閲覧ログ記録部２４で、広告管理サーバ１に送信する閲覧ログを作成する際に、広告ＩＤ、閲覧時間、ブラウザ表示操作、クリック操作数、移動前のＷｅｂページのＵＲＬの各種項目に加え、ＷｅｂサーバＩＤを記述するものとする。
【０１１５】
ここで、前述したのと同様に、Ｗｅｂサーバ管理テーブル３２の更新に際し、閲覧ログに記述された閲覧時間が予め設定された時間以上である場合のみ、当該閲覧ログに記述された内容をＷｅｂサーバ管理テーブル３２に記入することで、広告主のＷｅｂサイトがポップアップ表示後、すぐに閉じられた場合の閲覧ログを除外することも考えられる。
【０１１６】
（７）報酬額の支給
最後に、Ｗｅｂサーバ４の管理者に対して広告掲載に対する報酬額を支給する際の通信手順、処理手順を図１３、図１５を用いて説明する。
【０１１７】
広告管理サーバ１の報酬額算出部３５は、一定期間毎、あるいは、広告掲載の契約終了時に、Ｗｅｂサーバ管理テーブル３２をもとに、つまり、Ｗｅｂサーバ４上で掲載された各広告からポップアップ表示された各広告主のＷｅｂサイトの実際の閲覧状況をもとに、広告毎の報酬額を算出する（ステップ４０２）。
【０１１８】
そして、算出した報酬額をＷｅｂサーバ４の管理者に支払うと共に、Ｗｅｂサーバ管理テーブル３２に記載された各種データをレポートとして作成し、インターネット等のネットワークを介して送信する（ステップ４０３）。報酬額の支払い方法は、ネットワークを介した電子的な支払い方法を用いることが可能である。また、レポートの提供は、インターネットを介した電子メールで送信する方法、または、他の任意の手段を用いることが可能である。
【０１１９】
また、報酬額の算出の方法としては、例えば、広告主に請求される広告掲載料に、Ｗｅｂサーバ管理テーブル３２に記述された各種データから算出されるＷｅｂサーバ４の広告の宣伝に対する貢献度をかけることで算出することが考えられる。この際、貢献度の算出方法としては、前述の（５）掲載料の請求で広告掲載料の算出に用いた方法を利用することが考えられる。
【０１２０】
つまり、累積閲覧時間、または、累積閲覧時間と累積ポップアップ数から算出される平均閲覧時間など、広告主のＷｅｂサイトがどの位の時間閲覧されたかをもとに算出する方法、累積ブラウザ数やその他の記載のデータなども含め、広告主のＷｅｂサイトがどのような感じで閲覧されたかで総合的に算出する方法が考えられる。
【０１２１】
また、前述したように、Ｗｅｂサーバ管理テーブル３２を更新する際に、閲覧時間に閾値を設けることで、より実質的な宣伝効果に見合った貢献度の算出が可能となる。
【０１２２】
さらには、本発明では記載していないが、Ｗｅｂサーバ４に掲載された広告からポップアップ表示により広告主のＷｅｂサイトで成約が発生した件数（成果保証型）を当該広告主のＷｅｂサイトから受け取り、その成約件数のデータを、貢献度算出時に利用してもよい。
【０１２３】
［第２の実施例］
前述の広告管理テーブル１４とＷｅｂサーバ管理テーブル３２には、各閲覧者ＰＣ２から送信される閲覧ログ記載のデータを追記する形で管理していた。ここで、広告毎に閲覧ログ記載のデータを統合的に管理するのに加え、閲覧者毎、つまり、送信される閲覧ログ毎に閲覧ログ記載のデータを詳細に管理することが考えられる。
【０１２４】
この際、各閲覧者の広告に対する閲覧状況を個別に把握することが可能となり、これらの詳細データが記述されたレポートを広告主が取得できることで、ユーザ分析など今後のマーケティングへの利用も可能となる。
【０１２５】
さらには、広告主サーバ３において、当該広告主のＷｅｂサイトで成約が発生したユーザに関するデータを別途取得し、そのユーザプロファイルと、広告管理サーバ１から提供されるレポートとをデータマイニングすることで、顧客動向や市場の分析を行うことが可能となる。
【０１２６】
また、上記の広告管理サーバの動作をプログラムとして構築し、広告管理サーバとして利用されるコンピュータにインストールして実行する、または、ネットワークを介して流通させることが可能である。
【０１２７】
また、構築されたプログラムを、コンピュータに接続されるハードディスク装置や、フレキシブルディスク、ＣＤ−ＲＯＭ等の可搬記憶媒体に格納しておき、コンピュータにインストールする、または、配布することが可能である。
【０１２８】
なお、本発明は、上記の実施の形態及び実施例に限定されることなく、特許請求の範囲内において種々変更・応用が可能である。
【産業上の利用可能性】
【０１２９】
本発明は、インターネット上の広告サービスに適用可能である。
【図面の簡単な説明】
【０１３０】
【図１】本発明の原理を説明するための図である。
【図２】本発明の原理構成図である。
【図３】本発明の一実施の形態におけるインターネット広告サービスのシステム構成図である。
【図４】本発明の一実施の形態における広告管理サーバの構成図である。
【図５】本発明の一実施の形態における動作のシーケンスチャートである。
【図６】本発明の一実施の形態における広告管理テーブルの例である。
【図７】本発明の一実施の形態におけるＷｅｂページ生成部で生成される広告付Ｗｅｂページの例である。
【図８】本発明の一実施の形態における閲覧操作監視プログラムの構成図である。
【図９】本発明の一実施の形態におけるポップアップウィンドウ内に広告リンク先Ｗｅｂページを表示する方法の一例である。
【図１０】本発明の一実施の形態における本発明の一実施の形態における閲覧操作プログラムを指定したＨＴＭＬ文書の例である。
【図１１】本発明の一実施の形態におけるポップアップウィンドウの操作のフローチャートである。
【図１２】本発明の第１の実施例のシステム構成図である。
【図１３】本発明の第１の実施例の動作のシーケンスチャートである。
【図１４】本発明の第１の実施例の広告管理サーバの構成図である。
【図１５】本発明の第１の実施例のＷｅｂ管理テーブルの例である。
【図１６】本発明の第１の実施例のＷｅｂサーバ上で公開する広告付Ｗｅｂページの一例である。
【符号の説明】
【０１３１】
１  広告管理サーバ
２  閲覧者ＰＣ
３  広告主サーバ
４  Ｗｅｂサーバ
１０  インターネット
１１  広告登録受信手段、広告登録受信部
１２  広告データベース
１３  広告管理テーブル更新手段、広告管理テーブル更新部
１４  広告管理テーブル
１５  閲覧操作監視プログラム
１６  Ｗｅｂページ生成手段、Ｗｅｂページ生成部
１７  閲覧ログ受信部
１８  掲載料算出部
２０  閲覧操作取得部
２１  操作解析部
２２  ポップアップウィンドウ制御部
２３  イベント実行部
２４  閲覧ログ記録部
２５  閲覧ログ送信部
３１  Ｗｅｂサーバ登録受信部
３２  Ｗｅｂサーバ管理テーブル
３３  広告提供部
３４  Ｗｅｂサーバ管理テーブル更新部
３５  報酬額計算部
ａ  Ｗｅｂブラウザ
ｂ  マウスカーソル
ｃ  ポップアップウィンドウ
【図１】
2006252179.tif 000003
【図２】
2006252179.tif 000004
【図３】
2006252179.tif 000005
【図４】
2006252179.tif 000006
【図５】
2006252179.tif 000007
【図６】
2006252179.tif 000008
【図７】
2006252179.tif 000009
【図８】
2006252179.tif 000010
【図９】
2006252179.tif 000011
【図１０】
2006252179.tif 000012
【図１１】
2006252179.tif 000013
【図１２】
2006252179.tif 000014
【図１３】
2006252179.tif 000015
【図１４】
2006252179.tif 000016
【図１５】
2006252179.tif 000017
【図１６】
2006252179.tif 000018